(57)【要約】【課題】光学系のレンズ群を駆動しなくともピント変更することができ、さらには、例えばＡＦ時にピントのズレ方向と量を検知して、コントラストＡＦの高速化を実現することが可能な光学装置を提供すること。【解決手段】光学系と、進相軸方位が放射または同心円方向であり、かつ光軸中心から周辺に向かって位相変化する位相子と、偏光選択手段と、を有し、前記偏光選択手段によって選択された偏光振動面の光束によって、ピント位置を変更することができ、以下の条件式（１）を満足することを特徴とする。−０．５＜Δ／Ｆδ＜０．５・・・（１）ここで、Δはピントズレ量、Ｆは光学系のＦ値、δは画素ピッチｘ２とする。【選択図】図１
2016102850.tif 000002
【特許請求の範囲】
【請求項１】
光学系と、
進相軸方位が放射または同心円方向であり、かつ光軸中心から周辺に向かって位相変化する位相子と、
偏光選択手段と、を有し、
前記偏光選択手段によって選択された偏光振動面の光束によって、ピント位置を変更することができ、以下の条件式（１）を満足することを特徴とする光学装置。
−０．５＜Δ／Ｆδ＜０．５・・・（１）
ここで、Δはピントズレ量、Ｆは光学系のＦ値、δは画素ピッチｘ２とする。
【請求項２】
前記光学装置は撮像素子を有する撮像装置であることを特徴とする請求項１に記載の光学装置。
【請求項３】
前記偏光選択手段は偏光子であることを特徴とする請求項１に記載の光学装置。
【請求項４】
前記偏光選択手段は偏光分離素子であることを特徴とする請求項１に記載の光学装置。
【請求項５】
前記位相子は屈折力をもったレンズであることを特徴とする請求項１に記載の光学装置。
【請求項６】
前記位相子は光学系の絞り近傍に配置されることを特徴とする請求項１に記載の光学装置。
【請求項７】
前記位相子の（最大）位相差をＲ、主波長をλとしたとき、
０．０＜｜Ｒ／λ｜＜２．０・・・（１）
を満足することを特徴とする請求項１に記載の光学装置
【請求項８】
前記撮像装置について、偏光選択手段は撮像素子上（各画素）に設けられていることを特徴とする請求項２に記載の光学装置。
【発明の詳細な説明】
【技術分野】
【０００１】
本発明は、光学系に位相子を配し、偏光選択手段によって振動面を選択することで所望量ピント位置を変えることができる光学装置に好適なものである。
【背景技術】
【０００２】
光学装置のうち、例えば撮像光学系にはオートフォーカス（以後ＡＦ）機能としてコントラストＡＦ方式が採用されることがある。よく知られているのは、撮像光学系を構成するフォーカスレンズの位置を移動しながら（所謂ウォブリング）撮像素子より映像信号を取得する。
【０００３】
特許文献１には、上記の映像信号から算出されるＡＦ評価値（コントラスト値）が最大となるようにフォーカスレンズ位置を探索して焦点調節制御を行う技術が開示されている。特許文献２には、カメラなどの撮像面位相差ＡＦなどに関し、ＡＦ動作時に偏光のクロスニコルによる消光特性を利用して、隣接画素などへの漏れ光（クロストーク）防止して、ＡＦ精度向上を狙った例が開示されている。
【先行技術文献】
【特許文献】
【０００４】
【特許文献１】特開２０１２−４２７９２号公報
【特許文献２】特開２００９−１６２８４７号公報
【発明の概要】
【発明が解決しようとする課題】
【０００５】
しかしながら、特許文献１に開示された例は、光学系を構成する一部レンズ群をメカ的に駆動することでピント位置を変更する例である。この手法によれば、ウォブリング制御のために駆動するレンズ群を軽量化することが必要となりウォブリング駆動群はレンズ１〜２枚程度での構成が求められる。これに起因して、収差変動を抑制するためにとりうるレンズ形状自由度が制限されて合焦時などにおける収差変動が懸念される。また撮像センサーが大型化した場合や、明るいレンズの場合は原理的に、フォーカス群が大型化して前記メカの重量制約などによりウォブリングできないといった課題もある。
【０００６】
一方、特許文献２などは、偏光を使うといった手段は類似しているが、目的が異なる。つまり、偏光は撮像素子に配置される隣接画素間のクロストークを防止するために、偏光の消光特性を利用したものである。
【０００７】
本発明の目的は、光学系のレンズ群を駆動しなくともピント変更することができ、さらには、例えばＡＦ時にピントのズレ方向と量を検知して、コントラストＡＦの高速化を実現することが可能な光学装置を提供することにある。
【課題を解決するための手段】
【０００８】
上記の目的を達成するために、本発明の光学装置は、
光学系と、
進相軸方位が放射または同心円方向であり、かつ光軸中心から周辺に向かって位相変化する位相子と、
偏光選択手段と、を有し、
前記偏光選択手段によって選択された偏光振動面の光束によって、ピント位置を変更することができ、以下の条件式（１）を満足することを特徴とする。
【０００９】
−０．５＜Δ／Ｆδ＜０．５・・・（１）
ここで、Δはピントズレ量、Ｆは光学系のＦ値、δは画素ピッチｘ２とする。
【発明の効果】
【００１０】
本発明によれば、光学系のレンズ群を駆動しなくともピント変更することができ、さらには、例えばＡＦ時にピントのズレ方向と量を検知して、コントラストＡＦの高速化を実現することが可能な光学装置を提供できる。
【図面の簡単な説明】
【００１１】
【図１】実施形態１の撮像光学系を示す図
【図２】撮像素子を説明する図
【図３】実施形態１の撮像光学系の位相子特性を説明する図
【図４】実施形態１の撮像光学系によるピント変化を説明する図
【図５】実施形態２の撮像光学系を示す図
【図６】実施形態２の投影光学系の位相子特性を説明する図
【図７】実施形態２の投影光学系によるピント変化を説明する図
【図８】実施形態３の像形成光学系を示す図
【図９】実施形態３の像形成光学系の位相子特性を説明する図
【図１０】実施形態３の像形成光学系によるピント変化を説明する図
【発明を実施するための形態】
【００１２】
以下、本発明を実施するための形態を図面に基づいて説明する。
［実施形態１］
【００１３】
図１は実施形態１について撮像装置として適用した場合の概略構成図を示す。光学装置１は、撮像光学系１０とカメラ部２からなる。カメラ部は、撮像素子１４と、液晶表示部１５と、を有する。前記撮像素子１４には、偏光選択手段１２が設けられている。
【００１４】
図２はその一例を示している。ＣＣＤ４１の上に偏光子アレイ４０を形成し、各ＣＣＤ画素（１）‘および（２）’などに対応した位置に所望の偏光子アレイ（１）（２）を構築すればよい。例えば撮像素子の各画素上にフォトニック結晶などで偏光機能素子を構成配置することなどで実現できるものである。この場合、偏光子はＣＣＤ画素全面に配置する必要はなく、所望の領域のみとしてもよい。また、前記偏光選択手段は偏光子に限ったものではなく、偏光分離手段などで偏光選択することも考えられる。
【００１５】
撮像光学系は、撮像レンズ群と絞り１６および合焦部１３とを有するもので、被写体からの光学像を撮像素子に集光する。合焦部は、撮像光学系の光軸方向に沿って移動可能である。
【００１６】
本実施形態１の撮像光学系には、さらに開口絞りに対して像側に配置された位相子１１（平板）を有している。この位相子特性については、図３に示している。図３左図は瞳上での位相差特性で、最周縁部の最大位相差１３０ｎｍを１００％としたときの位相差分布を表している。
【００１７】
位相差特性としては中心から周辺に向かうにつれて大きくなるような特性となっている。この位相差については、小さすぎると所望ピント変動量がとれないが、逆に大きすぎても、結像性能劣化の影響が大きくなって好ましくないため、以下の条件式を満足する。
【００１８】
−０．５＜Δ／Ｆδ＜０．５・・・（１）
ここで、Δはピントズレ量、Ｆは光学系のＦ値、δは画素ピッチｘ２である。
【００１９】
本実施形態１における撮像光学系の画素ピッチから算出されるδ＝６．８ｎｍとすると、ピントズレ量ΔとＦ値比については０．２６である。
【００２０】
また、位相子の最大位相差をＲ、主波長をλとしたとき、
０．０＜｜Ｒ／λ｜＜２．０・・・（２）
を満足することが望ましい。
【００２１】
さらに望ましくは、下記条件式（２ａ）範囲とすれば、より結像性能劣化の影響が少ない範囲でピント変化させることができる。
【００２２】
０．１＜｜Ｒ／λ｜＜１．５・・・（２ａ）
本実施形態１における撮像光学系の主波長を５８７．６ｎｍとすると、最大位相差Ｒと主波長λ比については０．２２である。
【００２３】
進相軸方位特性については図３右図に示すように放射方向（図示）としているため、必然的に遅相軸方位は同心円方向となる。
【００２４】
上記の場合、例えば進相軸方位と同じ振動面もつ（放射方向振動）偏光は、遅相軸方位と同じ方向に振動する（同心円方向振動）偏光に対して前記位相差分だけ位相を進めることができ、凸レンズ効果をもたせることができる。
【００２５】
上記位相子については、例えばフォトニック結晶などで作成することも考えられる（例：フォトニックラティス社製ＰＬＲ１０６４／ＰＬＡ１０６４など）。
【００２６】
位相子の配置位置としては、軸外光束による結像性能への影響、および位相子が大径化することが許容される範囲内では、開口絞りから離れた位置に配置してもよいが、望ましくは開口絞り近傍に配置した方が良い。
【００２７】
また、前記偏光選択手段は偏光子に限ったものではなく、偏光分離手段などで偏光選択すれば、より有効に光および情報を撮像素子に取り込むことができるものである。
【００２８】
図４は、実施形態１の基準距離撮影時（１５ｍ）について基準状態である自然光もしくは４５°直線偏光に対して、放射および同心円方向に振動もつ偏光によってピント面を変更できることを示したものである。上段図は、前記基準状態について横軸：デフォーカス量、縦軸：ＭＴＦ値としたとき、白色ＭＴＦ特性（５０本／ｍｍ評価）を表しており、山のピーク位置がピント位置に相当する。
【００２９】
図４中段図は、偏光選択手段によって放射方向振動面をもつ偏光を取り出したときのＭＴＦ特性を表し、前記位相子によってＭＴＦ特性ピーク位置（ピント位置）が撮像光学系側に５μｍ程度ずれていることがわかる。図４下段図は、偏光選択手段によって同心円方向振動面をもつ偏光を取り出したときのＭＴＦ特性を表し、ピント位置が撮像光学系とは逆方向に同じ量だけずれていることがわかる。
【００３０】
上記説明した構成によれば、偏光振動面を選択することによってピント位置を所望量変更した画像を得ることができる。撮像光学系などの場合、この情報を用いることで、例えば現状ピント位置について概算のズレ方向と量を検知することができ、この検知情報をもとに合焦部を駆動してもよい。またピント位置検知に限らず、撮像素子上などに形成されるマイクロレンズ厚などの製造誤差によるピント位置修正などに使用することも考えられる。
［実施形態２］
【００３１】
以下、実施形態２の光学装置の概要構成を説明する。図５は実施形態２について撮像装置として適用した場合の概略構成図を示す。光学系図としては、代表して望遠端図としている。光学装置２である３は、撮像光学系２０とカメラ部２である４からなる。カメラ部２は、撮像素子２４と、液晶表示部２５とを有する。前記撮像素子２４には、偏光選択手段２２が設けられており、その概要は先に説明した実施形態１に準ずるものである。
【００３２】
撮像光学系は、撮像レンズ群と絞り２６および合焦部２３とを有するもので、被写体からの光学像を撮像素子に集光する。合焦部は、撮像光学系の光軸方向に沿って移動可能である。
【００３３】
本実施形態２の撮像光学系には、さらに開口絞りに対して物体側に配置された位相子２１（凸レンズ）を有している。例えば、圧縮成形などモールド成形品によれば軸方位および位相差を所望の特性に設定することが可能である。
【００３４】
この位相子特性については、図６に示している。図６左図は瞳上での位相差特性で、最周縁部の最大位相差１６６ｎｍを１００％としたときの位相差分布を表している。
位相差特性としては中心から周辺に向かうにつれて大きくなるような特性となっている。この位相差については、小さすぎると所望ピント変動量がとれないが、逆に大きすぎても、結像性能劣化の影響が大きくなって好ましくない。
【００３５】
本実施形態２における撮像光学系の画素ピッチから算出されるδ＝３．６ｎｍとすると、（望遠端）ピントズレ量ΔとＦ値比については０．４６である。また同様に、撮像光学系の主波長を５８７．６ｎｍとすると、最大位相差Ｒと主波長λ比については０．２８である。
【００３６】
進相軸方位特性については図６右図に示すように放射方向（図示）としているため、必然的に遅相軸方位は同心円方向としており、実施形態１と同じである。
【００３７】
位相子の配置位置としては、軸外光束による結像性能への影響、および位相子が大径化することが許容される範囲内では、開口絞りから離れた位置に配置してもよいが、望ましくは開口絞り近傍に配置した方が良い。
【００３８】
また、前記偏光選択手段は偏光子に限ったものではなく、偏光分離手段などで偏光選択すれば、より有効に光および情報を撮像素子に取り込むことができるものである。
【００３９】
図７は、実施形態２の∞遠方撮影時について基準状態である自然光もしくは４５°直線偏光に対して、放射および同心円方向に振動もつ偏光によってピント面を変更できることを示したものである。上段図は、前記基準状態について横軸：デフォーカス量、縦軸：ＭＴＦ値としたとき、白色ＭＴＦ特性（３０本／ｍｍ評価）を表しており、山のピーク位置がピント位置に相当する。
【００４０】
図７中段図は、偏光選択手段によって放射方向振動面をもつ偏光を取り出したときのＭＴＦ特性を表し、前記位相子によってＭＴＦ特性ピーク位置（ピント位置）が撮像光学系側に１０μｍ程度ずれていることがわかる。図７下段図は、偏光選択手段によって同心円方向振動面をもつ偏光を取り出したときのＭＴＦ特性を表し、ピント位置が撮像光学系とは逆方向に同じ量だけずれていることがわかる。
【００４１】
上記説明した構成によれば、偏光振動面を選択することによってピント位置を所望量変更した画像を得ることができる。
【００４２】
撮像光学系などの場合、この情報を用いることで、例えば現状ピント位置について概算のズレ方向と量を検知することができ、この検知情報をもとに合焦部を駆動してもよい。またピント位置検知に限らず、撮像素子上などに形成されるマイクロレンズ厚などの製造誤差によるピント位置修正などに使用することも考えられる。その他の点は、実施形態１と同じなので詳細説明は割愛する。
［実施形態３］
【００４３】
以下、実施形態３の光学装置の概要構成を説明する。図８は、実施形態３の光学装置について、眼底カメラなどに用いられるような光学系とした場合の一例であって、像形成光学系３０、および照明系６（不図示）から構成される。前記照明系からの光はハーフミラー３７を介して網膜などを照明する。
【００４４】
前記網膜画像については、対物レンズ３８によって１次結像点３９に集光される。眼の水晶体状態によっては、この１次結像点（正視状態ピント位置）に対してずれが生じる。さらに、この１次結像点からの光束は一旦アフォーカル光束に変換され、その後リレー部を通して撮像素子３４に集光している。
【００４５】
本実施形態３の場合、開口絞り３６に対して照明系側に配置された位相子３１（平板）、および撮像素子の画素上に配置された偏光選択手段３２を有している。
【００４６】
本実施形態３における撮像光学系の画素ピッチから算出されるδ＝３ｎｍとすると、ピントズレ量ΔとＦ値２．０８比については１．６である。
【００４７】
この位相子特性については、図９に示している。位相差特性の見方は先の実施形態１などと同じで、中心から周辺に向かうにつれて大きくなるような特性となっており、瞳最周縁部では５１９ｎｍとなっている。
本実施形態３における像形成光学系の主波長を５５０ｎｍとすると、最大位相差Ｒと主波長λ比については０．９４である。
【００４８】
進相軸方位特性については図９に示すように、実施形態１，２とは異なり、同心円方向（図示）としているため、必然的に遅相軸方位は放射方向となる。
【００４９】
なお本実施形態３の場合、偏光選択手段は撮像素子の各画素上に構築しており、実施形態１と同じである。
【００５０】
図１０は、数値実施例３について基準である自然光もしくは４５°直線偏光状態に対して、放射および同心円方向に振動もつ偏光によってピント面を約±１０μｍ程度変更できることを示したものである。ＭＴＦ評価周波数は３０本／ｍｍである。
【００５１】
上記説明した構成によれば、偏光振動面を選択することによってピント位置を所望量変更した画像を得ることができ、この情報を用いて例えば現状ピント位置について、概算のズレ方向と量を検知することができる。
【００５２】
先に特許文献１などに示した従来から知られるウォブリング（メカ駆動）によってピント位置検知する手法に対しては、あらかじめ埋め込んだ偏光選択画素による画像情報からピント検知が可能となり、高速に合焦することが考えられる。なお、この実施形態３構成の一部（例：合焦部３３など）を使って観察光学系などの視度調整機能への展開も考えられる。
【００５３】
その他の点は、実施形態１と同じなので詳細説明は割愛する。
【００５４】
以上、本発明の好ましい実施形態について説明したが、本発明はこれらの実施形態に限定されず、その要旨の範囲内で種々の変形及び変更が可能である。
【００５５】
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。
【００５６】
また、非球面に記載されている、ｋ，Ａ，Ｂ，Ｃ，Ｄ，Ｅなどは非球面係数である。非球面形状は光軸からの高さｈの位置での光軸方向の変位を、面頂点を基準にしてｘとするとき以下の式で定義される。
ｘ＝（ｈ２／Ｒ）／［１＋｛１−（１＋ｋ）（ｈ／Ｒ）２｝１／２］
＋Ａｈ４＋Ｂｈ６＋Ｃｈ８＋Ｄｈ１０＋Ｅｈ１２
ただし、ここでＲは曲率半径である。
【００５７】
数値実施例１
単位 mm
面データ
面番号       r        d      nd         vd       有効径
1          ∞       5.00   1.51633    64.1      102.57
2          ∞       1.00                        102.09
3        130.192   16.49   1.49700    81.5      100.84
4       -351.956   14.08                        100.01
5         96.068   11.00   1.49700    81.5       84.30
6        790.623    4.04                         82.70
7       -312.171    4.00   1.78590    44.2       82.47
8        127.367    0.10                         77.56
9         79.100   13.89   1.43387    95.1       76.81
10       -490.676    0.15                         75.68
11         51.030    5.92   1.48749    70.2       65.47
12         40.090   26.20                         58.56
13       1292.599    5.09   1.80518    25.4       48.35
14       -110.248    2.20   1.83481    42.7       47.52
15         94.123   40.42                         44.89
16(絞り)    ∞       8.43                         35.72
17          ∞       1.50   1.51633    64.1       34.27
18          ∞       0.00                         34.10
19         80.945    1.80   1.84666    23.9       34.19
20         35.931    7.12   1.72000    50.2       33.80
21       -240.324    0.50                         33.75
22        132.186    4.72   1.84666    23.9       33.45
23        -98.166    1.65   1.60311    60.6       33.02
24         37.432    5.24                         31.24
25        -78.633    1.60   1.77250    49.6       31.26
26         64.866    2.60                         32.49
27          ∞       0.10                         33.07
28         80.477    8.94   1.72000    50.2       34.97
29        -40.787    1.80   1.83400    37.2       35.82
30       -168.946    4.57                         37.46
31         78.699    4.72   1.69680    55.5       41.04
32          ∞       8.00                         41.08
33          ∞       2.00   1.51633    64.1       41.33
34          ∞       59.13                         41.37
像面           
各種データ
ズーム比      1.00 
焦点距離     293.46  
Fナンバー      2.93  
画角           4.22  
像高          21.63  
レンズ全長    274.0  
BF            59.13  
入射瞳位置   445.42  
射出瞳位置   -61.63  
前側主点位置  25.74  
後側主点位置-234.33  
ズームレンズ群データ
群  始面    焦点距離  レンズ構成長  前側主点位置  後側主点位置
1    1     293.46       214.87        25.74       -234.33
単レンズデータ
レンズ  始面  焦点距離
1       1      0.00
2       3    193.42
3       5    218.88
4       7   -114.64
5       9    158.17
6      11   -466.24
7      13    126.37
8      14    -60.53
9      17      0.00
10      19    -77.74
11      20     43.89
12      22     67.17
13      23    -44.73
14      25    -45.79
15      28     38.79
16      29    -64.88
17      31    112.94
18      33      0.00
数値実施例２
単位 mm
面データ
面番号       r        d      nd         vd       有効径
1        398.756    1.64   1.84666    23.8       36.09
2         70.074    2.71   1.77250    49.6       33.52
3       11431.469    0.15                         32.97
4         48.740    2.80   1.77250    49.6       28.91
5        644.148  (可変)                         28.01
6*       197.189    1.30   1.85400    40.4       25.50
7*        13.989    5.45                         19.84
8        -43.266    0.90   1.69680    55.5       19.75
9         69.996    0.05                         19.66
10         24.260    2.18   1.94595    18.0       19.88
11         67.445  (可変)                         19.61
12         12.382    2.83   1.88300    40.8       11.43
13        147.332    0.10                         10.68
14*        15.505    2.69   1.77250    49.6       10.15
15       -145.132    0.10                          9.03
16        -60.278    0.50   1.80518    25.5        9.02
17          8.348    1.48                          8.08
18        -28.848    1.53   1.56907    71.3        8.06
19        -16.094  (可変)                          8.08
20(絞り)    ∞     (可変)                          7.55
21        103.321    5.12   1.55332    71.7       24.72
22*       -43.514  (可変)                         25.16
23          ∞       3.26   1.51633    64.1       50.00
24          ∞       1.81                         50.00
像面        ∞   
非球面データ
第6面
K = 0.00000e+000  A 4=-1.63085e-005  A 6= 3.90182e-008  
第7面
K = 2.34885e-001  A 4=-2.08033e-005  A 6=-1.23646e-008  A 8=-1.36584e-009  A10= 6.20079e-012  
第14面
K =-8.72496e-001  A 4=-3.81824e-005  A 6=-5.13502e-007  A 8= 2.50285e-009  
第22面
K = 6.04326e+000  A 4= 3.94216e-006  A 6=-1.12297e-009  A 8= 7.47797e-011  A10= 5.81142e-013  
各種データ
ズーム比      3.80 
広角     中間     望遠
焦点距離      15.68    31.22    59.60  
Fナンバー      2.89     4.48     5.71  
画角          33.80    18.59     9.99  
像高          10.50    10.50    10.50  
レンズ全長    75.95    79.03    94.99  
BF             1.81     1.81     1.81  
d 5            0.70     1.68    12.85  
d11           20.39     8.07     1.00  
d19            1.40     3.00     3.00  
d20           10.69    27.11    38.39  
d22            6.24     2.60     3.23  
入射瞳位置    23.34    24.18    48.02  
射出瞳位置   -26.37   -67.88  -155.63  
前側主点位置  30.30    41.41    85.06  
後側主点位置 -13.87   -29.41   -57.79  
ズームレンズ群データ
群  始面    焦点距離  レンズ構成長  前側主点位置  後側主点位置
1    1      63.99         7.30         2.22         -1.93
2    6     -17.29         9.88         0.93         -6.81
3   12      20.92         9.23        -3.13         -8.47
4   20       ∞           0.00         0.00         -0.00
5   21      56.03         5.12         2.35         -0.99
6   23       ∞           3.26         1.07         -1.07
単レンズデータ
レンズ  始面  焦点距離
1       1   -100.64
2       2     91.26
3       4     68.12
4       6    -17.69
5       8    -38.25
6      10     39.09
7      12     15.16
8      14     18.27
9      16     -9.08
10      18     61.30
11      21     56.03
12      23      0.00
数値実施例３
単位 mm
面データ
面番号       r        d      nd         vd       有効径
1          ∞      10.00   1.51633    64.1        8.30
2          ∞       2.00                          8.62
3*        12.950    1.20   2.00330    28.3        8.75
4         54.281   16.58                          8.55
5          ∞      16.58                          1.06
6*        18.419    4.90   1.49171    57.4        9.43
7       3586.809    6.00                         10.12
8        146.194    1.30   1.80518    25.4       11.57
9         30.001    2.00                         11.74
10         60.678    5.35   1.69680    55.5       12.65
11        -24.840   17.87                         13.51
12          ∞       3.00   1.51633    64.1       12.87
13          ∞       1.00                         12.80
14(絞り)    ∞      20.87                         12.75
15         24.840    5.35   1.69680    55.5       13.34
16        -60.678    2.00                         12.46
17        -30.001    1.30   1.80518    25.4       11.54
18       -146.194    6.00                         11.36
19      -3586.809    4.90   1.49171    57.4        9.87
20*       -18.419   16.30                          9.16
像面          
非球面データ
第3面
K =-4.27780e-001  A 4=-2.49471e-005  A 6= 3.82271e-007  
第6面
K =-4.44427e+000  
第20面
K =-3.40306e+000  
各種データ
ズーム比      1.00 
レンズ群データ
群  始面    焦点距離  レンズ構成長  前側主点位置  後側主点位置
1    1     -16.66       128.20       -22.04         32.96
単レンズデータ
レンズ  始面  焦点距離
1       1      0.00
2       3     16.57
3       6     37.48
4       8    -46.68
5      10     25.85
6      12      0.00
7      15     25.85
8      17    -46.68
9      19     37.48
【符号の説明】
【００５８】
１  光学装置、２  カメラ部、３  光学装置２、４  カメラ部２、
１０，２０  撮像光学系、１１，２１，３１  位相子、
１２，２２，３２  偏光選択手段、１３，２３，３３  合焦部、
１４，２４，３４  撮像素子、１５，２５  液晶表示部、１６，２６，３６  開口絞り、
３０  像形成光学系、３５  リレー部、３７  ハーフミラー、３８  対物レンズ、
３９  一次結像点、４０  偏光子アレイ、４１  ＣＣＤ
【図１】
2016102850.tif 000003
【図２】
2016102850.tif 000004
【図３】
2016102850.tif 000005
【図４】
2016102850.tif 000006
【図５】
2016102850.tif 000007
【図６】
2016102850.tif 000008
【図７】
2016102850.tif 000009
【図８】
2016102850.tif 000010
【図９】
2016102850.tif 000011
【図１０】
2016102850.tif 000012